(57)【要約】【課題】無人店舗における未成年者への酒類の販売を阻止し、成人者に対して簡易迅速に酒類を販売することのできる酒類販売システムを提供する。【解決手段】酒類の販売を行う酒類販売システムにおいて、酒類の販売状況を管理する管理サーバー１００を備え、管理サーバー１００は、通信ネットワークを介して接続されるユーザーの端末２００より、ユーザーが指定した、酒類の販売場所に関する指定販売場所情報を受信する指定販売場所情報受信手段１０と、指定販売場所情報受信手段１０によって受信された指定販売場所情報を記憶する指定販売場所情報記憶手段１１と、指定販売場所情報記憶手段１１によって記憶された指定販売場所情報に係る販売場所が、ユーザーに酒類を販売する場所として確定したことを示す確定販売場所情報を、ユーザーの端末２００に送信する確定販売場所情報送信手段１２とを有する。【選択図】図４
2018063609.tif 000002
【特許請求の範囲】
【請求項１】
酒類の販売を行う酒類販売システムにおいて、
酒類の販売状況を管理する管理サーバーを備え、
該管理サーバーは、
通信ネットワークを介して接続されるユーザーの端末より、該ユーザーが指定した、酒類の販売場所に関する指定販売場所情報を受信する指定販売場所情報受信手段と、
該指定販売場所情報受信手段によって受信された該指定販売場所情報を記憶する指定販売場所情報記憶手段と、
該指定販売場所情報記憶手段によって記憶された該指定販売場所情報に係る販売場所が、該ユーザーに酒類を販売する場所として確定したことを示す確定販売場所情報を、該ユーザーの端末に送信する確定販売場所情報送信手段と
を有することを特徴とする酒類販売システム。
【請求項２】
酒類の販売を行う酒類販売システムにおいて、
酒類の販売場所に設置され、酒類を購入するユーザーに対して、酒類が販売可能か否かを判定する判定端末を備え、
該判定端末は、
該ユーザーの端末より、該ユーザーが指定した酒類の販売場所が該ユーザーに酒類を販売する場所として確定したことを示す確定販売場所情報を入力する確定販売場所情報入力手段と、
該確定販売場所情報入力手段によって入力された該確定販売場所情報に係る販売場所と該判定端末が設置されている販売場所が一致するか否かを判定する販売場所判定手段と、
該販売場所判定手段により、該確定販売場所情報に係る販売場所と該判定端末が設置されている販売場所とが一致すると判定された場合に、該ユーザーに酒類を販売する販売手段と
を有することを特徴とする酒類販売システム。
【請求項３】
酒類の販売を行う酒類販売システムにおいて、
酒類の販売場所に設置され、酒類を購入するユーザーに対して、酒類が販売可能か否かを判定する判定端末と、
酒類の販売状況を管理する管理サーバーとを備え、
該管理サーバーは、
通信ネットワークを介して接続される該ユーザーの端末より、該ユーザーが指定した、酒類の販売場所に関する指定販売場所情報を受信する指定販売場所情報受信手段と、
該指定販売場所情報受信手段によって受信した指定販売場所情報に係る販売場所が、該ユーザーに酒類を販売する場所として確定したことを示す確定販売場所情報を、該ユーザーの端末に送信する確定販売場所情報送信手段とを有し、
該判定端末は、
該ユーザーの端末より、該確定販売場所情報を入力する確定販売場所情報入力手段と、
該確定販売場所情報入力手段によって入力された該確定販売場所情報に係る販売場所と該判定端末が設置されている販売場所が一致するか否かを判定する販売場所判定手段と、
該販売場所判定手段により、該確定販売場所情報に係る販売場所と該判定端末が設置されている販売場所とが一致すると判定された場合に、該ユーザーに酒類を販売する販売手段と
を有することを特徴とする酒類販売システム。
【請求項４】
請求項３に記載の酒類販売システムであって、
該管理サーバーは、
該ユーザーの端末より、酒類の注文内容に関する注文情報を受信する注文情報受信手段と、
該注文情報受信手段によって受信した注文情報に係る注文内容を受け付けたことを示す確定注文情報を、該ユーザーの端末に送信する第１の確定注文情報送信手段と、
該確定販売場所情報に係る販売場所に設置されている該判定端末に、該確定注文情報を送信する第２の確定注文情報送信手段とを有し、
該判定端末は、
該管理サーバーより、該確定注文情報を受信する確定注文情報受信手段と、
該ユーザーの端末より、該確定注文情報を入力する確定注文情報入力手段と、
該確定注文情報受信手段によって受信した該確定注文情報と該確定注文情報入力手段によって入力された該確定注文情報が一致するか否かを判定する確定注文情報判定手段とを有し、
該確定注文情報判定手段により、該確定注文情報受信手段によって受信した該確定注文情報と該確定注文情報入力手段によって入力された該確定注文情報とが一致すると判定された場合に、前記販売手段が該ユーザーに酒類を販売することを特徴とする酒類販売システム。
【請求項５】
請求項３又は４に記載の酒類販売システムであって、
該管理サーバーは、
該ユーザーのＩＤを記憶するＩＤ記憶手段と、
該ＩＤ記憶手段によって記憶された該ＩＤを、該ユーザーの端末に送信する第１のＩＤ送信手段と、
該確定販売場所情報に係る販売場所に設置されている該判定端末に、該ＩＤを送信する第２のＩＤ送信手段とを有し、
該判定端末は、
該管理サーバーより、該ＩＤを受信するＩＤ受信手段と、
該ユーザーの端末より、該ＩＤを入力するＩＤ入力手段と、
該ＩＤ受信手段によって受信した該ＩＤと該ＩＤ入力手段によって入力された該ＩＤが一致するか否かを判定するＩＤ判定手段とを有し、
該ＩＤ判定手段により、該ＩＤ受信手段によって受信した該ＩＤと該ＩＤ入力手段によって入力された該ＩＤとが一致すると判定された場合に、前記販売手段が該ユーザーに酒類を販売することを特徴とする酒類販売システム。
【請求項６】
請求項３乃至５のいずれかに記載の酒類販売システムであって、
該管理サーバーは、
該ユーザーが成人であることを示す成人認証情報を記憶する成人認証情報記憶手段と、
該成人認証情報記憶手段によって記憶された該成人認証情報を、該ユーザーの端末に送信する第１の成人認証情報送信手段と、
該確定販売場所情報に係る販売場所に設置されている該判定端末に、該成人認証情報を送信する第２の成人認証情報送信手段とを有し、
該判定端末は、
該管理サーバーより、該成人認証情報を受信する成人認証情報受信手段と、
該ユーザーの端末より、該成人認証情報を入力する成人認証情報入力手段と、
該成人認証情報受信手段によって受信した該成人認証情報と該成人認証情報入力手段によって入力された該成人認証情報が一致するか否かを判定する成人認証情報判定手段とを有し、
該成人認証情報判定手段により、該成人認証情報受信手段によって受信した該成人認証情報と該成人認証情報入力手段によって入力された該成人認証情報とが一致すると判定された場合に、前記販売手段が該ユーザーに酒類を販売することを特徴とする酒類販売システム。
【請求項７】
請求項３乃至６のいずれかに記載の酒類販売システムであって、
該管理サーバーは、
該酒類の販売場所に保管されている酒類の在庫数を記憶する酒類在庫数記憶手段と、
該ユーザーに酒類を販売した販売場所に設置されている該判定端末より、該ユーザーに販売した酒類の数を受信する販売数受信手段と、
該酒類在庫数記憶手段によって記憶されている酒類の在庫数のうち、該ユーザーに酒類を販売した販売場所の酒類の在庫数から、該販売数受信手段によって受信した酒類の販売数を減算する販売数減算手段とを有し、
該酒類在庫数記憶手段が、該販売数減算手段による減算後の酒類の数を、該ユーザーに酒類を販売した販売場所の酒類の在庫数として記憶するものであり、
該判定端末は、
該ユーザーに販売した酒類の数を、該管理サーバーに送信する販売数送信手段
を有することを特徴とする酒類販売システム。
【請求項８】
酒類の販売を行う酒類販売システムにおける酒類販売方法であって、
該酒類販売システムは、
酒類の販売場所に設置され、酒類を購入するユーザーに対して、酒類が販売可能か否かを判定する判定端末と、
酒類の販売状況を管理する管理サーバーとを備え、
該管理サーバーが、
通信ネットワークを介して接続される該ユーザーの端末より、該ユーザーが指定した、酒類の販売場所に関する指定販売場所情報を受信する指定販売場所情報受信ステップと、
該指定販売場所情報受信ステップによって受信した指定販売場所情報に係る販売場所が、該ユーザーに酒類を販売する場所として確定したことを示す確定販売場所情報を、該ユーザーの端末に送信する確定販売場所情報送信ステップとを実行するものであって、
該判定端末が、
該ユーザーの端末より、該確定販売場所情報を入力する確定販売場所情報入力ステップと、
該確定販売場所情報入力ステップによって入力された該確定販売場所情報に係る販売場所と該判定端末が設置されている販売場所が一致するか否かを判定する販売場所判定ステップと、
該販売場所判定ステップにより、該確定販売場所情報に係る販売場所と該判定端末が設置されている販売場所とが一致すると判定された場合に、該ユーザーに酒類を販売する販売ステップと
を実行することを特徴とする酒類販売方法。
【請求項９】
コンピュータを、
酒類の販売を行う酒類販売システムとして機能させるためのプログラムであって、
該酒類販売システムは、
酒類の販売場所に設置され、酒類を購入するユーザーに対して、酒類が販売可能か否かを判定する判定端末と、
酒類の販売状況を管理する管理サーバーとを備え、
該管理サーバーは、
通信ネットワークを介して接続される該ユーザーの端末より、該ユーザーが指定した、酒類の販売場所に関する指定販売場所情報を受信する指定販売場所情報受信手段と、
該指定販売場所情報受信手段によって受信した指定販売場所情報に係る販売場所が、該ユーザーに酒類を販売する場所として確定したことを示す確定販売場所情報を、該ユーザーの端末に送信する確定販売場所情報送信手段とを有し、
該判定端末は、
該ユーザーの端末より、該確定販売場所情報を入力する確定販売場所情報入力手段と、
該確定販売場所情報入力手段によって入力された該確定販売場所情報に係る販売場所と該判定端末が設置されている販売場所が一致するか否かを判定する販売場所判定手段と、
該販売場所判定手段により、該確定販売場所情報に係る販売場所と該判定端末が設置されている販売場所とが一致すると判定された場合に、該ユーザーに酒類を販売する販売手段と
を有する、
プログラム。
【発明の詳細な説明】
【技術分野】
【０００１】
本発明は、酒類販売システム、方法及びプログラムに関し、より詳しくは、ワイン、ビール等の酒類を購入する者（以下、「ユーザー」という。）に対して、酒類の販売が可能か否かを適切に判定することで、無人店舗（屋内又は屋外に設置されている自動販売機等の販売装置のことをいい、以下、これらの販売装置を、単に「販売装置」ということがある。）における未成年者への酒類の販売を効果的に阻止することができるとともに、酒類の購入が可能な成人者に対して、簡易迅速に酒類を販売することのできる酒類販売システム、方法及びプログラムに関する。
【背景技術】
【０００２】
酒類の無人店舗での販売は、消費者の利便性の向上や小売酒販店の経営の合理化等に資するものの、未成年者の飲酒防止の観点から、このような形での酒類の販売に対しては、様々な規制が敷かれている（例えば、酒類の購入者の識別（酒類の購入者が成人者であることの確認）を求める等）。
【０００３】
そこで、従来、このような規制をクリアしようとするものとして、例えば、特許文献１に記載されているアルコール飲料自動販売機が知られている。
【０００４】
特許文献１に記載のアルコール飲料自動販売機は、自動販売機においてアルコール飲料を販売する際、運転免許証や購入者の生年月日又は年令の登録されたＩＤカード等から、その者の生年月日等を読み取って、購入者が未成年の場合に販売否とすることで、自動販売機における未成年者に対するアルコール飲料の販売を未然に阻止するものとなっている。
【先行技術文献】
【特許文献】
【０００５】
【特許文献１】特開平８−２４１４５５号公報
【発明の概要】
【発明が解決しようとする課題】
【０００６】
しかし、特許文献１に記載されているアルコール飲料自動販売機は、アルコール飲料を購入する未成年者が、他の成年の運転免許証等を用いた場合には（例えば、子供が親の運転免許証等を勝手に持ち出して使用した場合）、当該未成年者を成年と判別し、この者に対するアルコール飲料の販売を「可」と判定することから、当該自動販売機では、自動販売機における未成年者に対するアルコール飲料の販売を的確に阻止することができない。このように、特許文献１に記載されているアルコール飲料自動販売機では、未成年者でも、容易に酒類を購入できてしまうことから、未成年者の飲酒を適切に防止することができない。
【０００７】
また、特許文献１に記載されているアルコール飲料自動販売機を用いて、アルコール飲料を購入する場合には、アルコール飲料の購入に先だって、購入者は、運転免許証や購入者の生年月日又は年令の登録されたＩＤカード等を準備する必要があり、また、アルコール飲料の購入の際には、これらの運転免許証等をカード類投入口に投入しなければならないことから、当該自動販売機では、購入者に対して、簡易迅速に酒類を販売することができない。すなわち、当該自動販売機を用いて、アルコール飲料を購入する際に求められる、このような作業等は、購入者にとって極めて煩雑であり、特に、アルコール飲料を適法に購入することができる成年（成人者）に対しては、余計な作業等（アルコール飲料の購入手順）を強いるものであるから、当該自動販売機では、購入者に対して、簡易迅速に酒類を販売することができないのである（その結果として、消費者の利便性の向上や小売酒販店の経営の合理化等を阻害することにもつながる）。さらに、特許文献１に記載されているアルコール飲料自動販売機では、運転免許証等から成人の認証を行うことから、自動販売機自体の構造が複雑となり、製造に手間とコストを要する（例えば、自動販売機自体にカード類投入口や運転免許証等を読み取るイメージ処理装置等を取り付ける必要がある）。
【０００８】
そこで、本発明は、上記点に鑑みてなされたものであり、ユーザーに対して、酒類の販売が可能か否かを適切に判定することで、無人店舗における未成年者への酒類の販売を効果的に阻止することができるとともに、酒類の購入が可能な成人者に対して、簡易迅速に酒類を販売することのできる酒類販売システム、方法及びプログラムを提供することを目的とするものである。
【課題を解決するための手段】
【０００９】
請求項１の発明に係る酒類販売システムは、酒類の販売を行う酒類販売システムにおいて、酒類の販売状況を管理する管理サーバーを備え、該管理サーバーは、通信ネットワークを介して接続されるユーザーの端末より、該ユーザーが指定した、酒類の販売場所に関する指定販売場所情報を受信する指定販売場所情報受信手段と、該指定販売場所情報受信手段によって受信された該指定販売場所情報を記憶する指定販売場所情報記憶手段と、該指定販売場所情報記憶手段によって記憶された該指定販売場所情報に係る販売場所が、該ユーザーに酒類を販売する場所として確定したことを示す確定販売場所情報を、該ユーザーの端末に送信する確定販売場所情報送信手段とを有することを特徴とする。
【００１０】
請求項２の発明に係る酒類販売システムは、酒類の販売を行う酒類販売システムにおいて、酒類の販売場所に設置され、酒類を購入するユーザーに対して、酒類が販売可能か否かを判定する判定端末を備え、該判定端末は、該ユーザーの端末より、該ユーザーが指定した酒類の販売場所が該ユーザーに酒類を販売する場所として確定したことを示す確定販売場所情報を入力する確定販売場所情報入力手段と、該確定販売場所情報入力手段によって入力された該確定販売場所情報に係る販売場所と該判定端末が設置されている販売場所が一致するか否かを判定する販売場所判定手段と、該販売場所判定手段により、該確定販売場所情報に係る販売場所と該判定端末が設置されている販売場所とが一致すると判定された場合に、該ユーザーに酒類を販売する販売手段とを有することを特徴とする。
【００１１】
請求項３の発明に係る酒類販売システムは、酒類の販売を行う酒類販売システムにおいて、酒類の販売場所に設置され、酒類を購入するユーザーに対して、酒類が販売可能か否かを判定する判定端末と、酒類の販売状況を管理する管理サーバーとを備え、該管理サーバーは、通信ネットワークを介して接続される該ユーザーの端末より、該ユーザーが指定した、酒類の販売場所に関する指定販売場所情報を受信する指定販売場所情報受信手段と、該指定販売場所情報受信手段によって受信した指定販売場所情報に係る販売場所が、該ユーザーに酒類を販売する場所として確定したことを示す確定販売場所情報を、該ユーザーの端末に送信する確定販売場所情報送信手段とを有し、該判定端末は、該ユーザーの端末より、該確定販売場所情報を入力する確定販売場所情報入力手段と、該確定販売場所情報入力手段によって入力された該確定販売場所情報に係る販売場所と該判定端末が設置されている販売場所が一致するか否かを判定する販売場所判定手段と、該販売場所判定手段により、該確定販売場所情報に係る販売場所と該判定端末が設置されている販売場所とが一致すると判定された場合に、該ユーザーに酒類を販売する販売手段とを有することを特徴とする。
【００１２】
請求項４の発明に係る酒類販売システムは、請求項３に記載の酒類販売システムであって、該管理サーバーは、該ユーザーの端末より、酒類の注文内容に関する注文情報を受信する注文情報受信手段と、該注文情報受信手段によって受信した注文情報に係る注文内容を受け付けたことを示す確定注文情報を、該ユーザーの端末に送信する第１の確定注文情報送信手段と、該確定販売場所情報に係る販売場所に設置されている該判定端末に、該確定注文情報を送信する第２の確定注文情報送信手段とを有し、該判定端末は、該管理サーバーより、該確定注文情報を受信する確定注文情報受信手段と、該ユーザーの端末より、該確定注文情報を入力する確定注文情報入力手段と、該確定注文情報受信手段によって受信した該確定注文情報と該確定注文情報入力手段によって入力された該確定注文情報が一致するか否かを判定する確定注文情報判定手段とを有し、該確定注文情報判定手段により、該確定注文情報受信手段によって受信した該確定注文情報と該確定注文情報入力手段によって入力された該確定注文情報とが一致すると判定された場合に、前記販売手段が該ユーザーに酒類を販売することを特徴とする。
【００１３】
請求項５の発明に係る酒類販売システムは、請求項３又は４に記載の酒類販売システムであって、該管理サーバーは、該ユーザーのＩＤを記憶するＩＤ記憶手段と、該ＩＤ記憶手段によって記憶された該ＩＤを、該ユーザーの端末に送信する第１のＩＤ送信手段と、該確定販売場所情報に係る販売場所に設置されている該判定端末に、該ＩＤを送信する第２のＩＤ送信手段とを有し、該判定端末は、該管理サーバーより、該ＩＤを受信するＩＤ受信手段と、該ユーザーの端末より、該ＩＤを入力するＩＤ入力手段と、該ＩＤ受信手段によって受信した該ＩＤと該ＩＤ入力手段によって入力された該ＩＤが一致するか否かを判定するＩＤ判定手段とを有し、該ＩＤ判定手段により、該ＩＤ受信手段によって受信した該ＩＤと該ＩＤ入力手段によって入力された該ＩＤとが一致すると判定された場合に、前記販売手段が該ユーザーに酒類を販売することを特徴とする。
【００１４】
請求項６の発明に係る酒類販売システムは、請求項３乃至５のいずれかに記載の酒類販売システムであって、該管理サーバーは、該ユーザーが成人であることを示す成人認証情報を記憶する成人認証情報記憶手段と、該成人認証情報記憶手段によって記憶された該成人認証情報を、該ユーザーの端末に送信する第１の成人認証情報送信手段と、該確定販売場所情報に係る販売場所に設置されている該判定端末に、該成人認証情報を送信する第２の成人認証情報送信手段とを有し、該判定端末は、該管理サーバーより、該成人認証情報を受信する成人認証情報受信手段と、該ユーザーの端末より、該成人認証情報を入力する成人認証情報入力手段と、該成人認証情報受信手段によって受信した該成人認証情報と該成人認証情報入力手段によって入力された該成人認証情報が一致するか否かを判定する成人認証情報判定手段とを有し、該成人認証情報判定手段により、該成人認証情報受信手段によって受信した該成人認証情報と該成人認証情報入力手段によって入力された該成人認証情報とが一致すると判定された場合に、前記販売手段が該ユーザーに酒類を販売することを特徴とする。
【００１５】
請求項７の発明に係る酒類販売システムは、請求項３乃至６のいずれかに記載の酒類販売システムであって、該管理サーバーは、該酒類の販売場所に保管されている酒類の在庫数を記憶する酒類在庫数記憶手段と、該ユーザーに酒類を販売した販売場所に設置されている該判定端末より、該ユーザーに販売した酒類の数を受信する販売数受信手段と、該酒類在庫数記憶手段によって記憶されている酒類の在庫数のうち、該ユーザーに酒類を販売した販売場所の酒類の在庫数から、該販売数受信手段によって受信した酒類の販売数を減算する販売数減算手段とを有し、該酒類在庫数記憶手段が、該販売数減算手段による減算後の酒類の数を、該ユーザーに酒類を販売した販売場所の酒類の在庫数として記憶するものであり、該判定端末は、該ユーザーに販売した酒類の数を、該管理サーバーに送信する販売数送信手段を有することを特徴とする。
【００１６】
請求項８の発明に係る酒類販売方法は、酒類の販売を行う酒類販売システムにおける酒類販売方法であって、該酒類販売システムは、酒類の販売場所に設置され、酒類を購入するユーザーに対して、酒類が販売可能か否かを判定する判定端末と、酒類の販売状況を管理する管理サーバーとを備え、該管理サーバーが、通信ネットワークを介して接続される該ユーザーの端末より、該ユーザーが指定した、酒類の販売場所に関する指定販売場所情報を受信する指定販売場所情報受信ステップと、該指定販売場所情報受信ステップによって受信した指定販売場所情報に係る販売場所が、該ユーザーに酒類を販売する場所として確定したことを示す確定販売場所情報を、該ユーザーの端末に送信する確定販売場所情報送信ステップとを実行するものであって、該判定端末が、該ユーザーの端末より、該確定販売場所情報を入力する確定販売場所情報入力ステップと、該確定販売場所情報入力ステップによって入力された該確定販売場所情報に係る販売場所と該判定端末が設置されている販売場所が一致するか否かを判定する販売場所判定ステップと、該販売場所判定ステップにより、該確定販売場所情報に係る販売場所と該判定端末が設置されている販売場所とが一致すると判定された場合に、該ユーザーに酒類を販売する販売ステップとを実行することを特徴とする。
【００１７】
請求項９の発明に係るプログラムは、コンピュータを、酒類の販売を行う酒類販売システムとして機能させるためのプログラムであって、該酒類販売システムは、酒類の販売場所に設置され、酒類を購入するユーザーに対して、酒類が販売可能か否かを判定する判定端末と、酒類の販売状況を管理する管理サーバーとを備え、該管理サーバーは、通信ネットワークを介して接続される該ユーザーの端末より、該ユーザーが指定した、酒類の販売場所に関する指定販売場所情報を受信する指定販売場所情報受信手段と、該指定販売場所情報受信手段によって受信した指定販売場所情報に係る販売場所が、該ユーザーに酒類を販売する場所として確定したことを示す確定販売場所情報を、該ユーザーの端末に送信する確定販売場所情報送信手段とを有し、該判定端末は、該ユーザーの端末より、該確定販売場所情報を入力する確定販売場所情報入力手段と、該確定販売場所情報入力手段によって入力された該確定販売場所情報に係る販売場所と該判定端末が設置されている販売場所が一致するか否かを判定する販売場所判定手段と、該販売場所判定手段により、該確定販売場所情報に係る販売場所と該判定端末が設置されている販売場所とが一致すると判定された場合に、該ユーザーに酒類を販売する販売手段とを有することを特徴とする。
【発明の効果】
【００１８】
請求項１、２、３、８及び９に記載の発明は、ユーザーの端末が、管理サーバーから送信された確定販売場所情報を判定端末に入力すると、判定端末は、確定販売場所情報に係る販売場所と判定端末が設置されている販売場所が一致するか否かの判定を行い、これらの販売場所が一致する場合に、販売手段によって、ユーザーに酒類を販売する構成となっていることから、本発明では、無人店舗における未成年者への酒類の販売を効果的に阻止することができる。
【００１９】
このことを具体的に説明すると、本発明における確定販売場所情報は、酒類の販売場所に関する指定販売場所情報に基づき生成されたものであるところ、この指定販売場所情報は、ユーザー自身が指定したものであることから、通常、確定販売場所情報に係る販売場所が、ユーザー以外の者に知られることはない。したがって、ユーザーの端末が当該ユーザーに無断で未成年者に持ち出されたとしても、当該未成年者が、当該ユーザーの指定した酒類の販売場所に関する情報（確定販売場所情報に係る販売場所）を把握することは難しく、当該販売場所に出向いて、そこに設置されている判定端末に、確定販売場所情報を入力することは、通常、考えられないことから、結果として、当該未成年者は、無人店舗において酒類の販売を受けることができない。また、当該未成年者が、当該販売場所以外の販売場所に出向いて、そこに設置されている判定端末に、確定販売場所情報を入力したとしても、確定販売場所情報に係る販売場所と当該判定端末が設置されている販売場所とは一致しないことから、当該判定端末が、当該未成年者に対して、酒類の販売を許可することはない。よって、本発明を用いれば、無人店舗における未成年者への酒類の販売を効果的に阻止することができるのである。
【００２０】
また、本発明では、ユーザーが無人店舗で酒類を購入するに先だって、自身の端末（ユーザーの端末）以外の物（運転免許証等）を予め準備する必要はなく、また、無人店舗で酒類を購入する際には、ユーザーは、自身の端末より、確定販売場所情報を判定端末に入力するだけで、酒類の購入が可能なことから、本発明を用いれば、酒類の購入が可能なユーザー（成人者）に対して、簡易迅速に酒類を販売することができる。さらに、本発明では、販売装置自体に、運転免許証等のカード類投入口や運転免許証等を読み取るイメージ処理装置等を取り付ける必要がないことから、販売装置の構造をシンプルにすることができる（つまり、低コストでの製造が可能となる）。
【００２１】
請求項４に記載の発明は、ユーザーの端末が、管理サーバーから送信された確定注文情報を判定端末に入力すると、判定端末は、ユーザーの端末から入力された確定注文情報と管理サーバーから送信され受信した確定注文情報が一致するか否かの判定を行い、これらの確定注文情報が一致する場合に、販売手段によって、ユーザーに酒類を販売する構成となっていることから、本発明では、無人店舗における未成年者への酒類の販売を、さらに効果的に阻止することができる。
【００２２】
請求項５に記載の発明は、ユーザーの端末が、管理サーバーから送信されたユーザーのＩＤを判定端末に入力すると、判定端末は、ユーザーの端末から入力された当該ＩＤと管理サーバーから送信され受信した当該ユーザーのＩＤが一致するか否かの判定を行い、これらのＩＤが一致する場合に、販売手段によって、ユーザーに酒類を販売する構成となっていることから、本発明では、無人店舗における未成年者への酒類の販売を、さらに効果的に阻止することができる。
【００２３】
請求項６に記載の発明は、ユーザーの端末が、管理サーバーから送信された成人認証情報を判定端末に入力すると、判定端末は、ユーザーの端末から入力された成人認証情報と管理サーバーから送信され受信した成人認証情報が一致するか否かの判定を行い、これらの成人認証情報が一致する場合に、販売手段によって、ユーザーに酒類を販売する構成となっていることから、本発明では、無人店舗における未成年者への酒類の販売を、さらに効果的に阻止することができる。
【００２４】
請求項７に記載の発明は、管理サーバーが、ユーザーに酒類を販売した販売場所に設置されている判定端末より、ユーザーに販売した酒類の数を受信し、予め、記憶している酒類の在庫数のうち、ユーザーに酒類を販売した当該販売場所の酒類の在庫数から、当該酒類の販売数を減算して、これを当該販売場所の酒類の在庫数として記憶する構成となっていることから、販売した酒類の在庫数を適切に把握することができる。これにより、本発明では、各販売場所に保管されている酒類の数（在庫）を正確に管理することができることから、無人店舗で酒類を販売する者（小売酒販店）の経営の合理化等に資することができる。
【図面の簡単な説明】
【００２５】
【図１】本発明の実施例１に係る酒類販売システムの全体構成を示す図である。
【図２】本発明の実施例１に係る酒類販売システムの管理サーバーのハードウェア構成を示す図である。
【図３】本発明の実施例１に係る酒類販売システムの判定端末のハードウェア構成を示す図である。
【図４】本発明の実施例１に係る酒類販売システムの構成を示すブロック図である。
【図５】本発明の実施例１に係る酒類販売システムに、ユーザー登録をするための手順を示すフローチャートである。
【図６】本発明の実施例１に係る酒類販売システムにおいて、ユーザーが酒類を購入するための手順を示すフローチャートである。
【発明を実施するための形態】
【００２６】
以下、添付図面を参照しながら本発明を実施するための形態について詳細に説明する。
【実施例１】
【００２７】
図１は、本発明の実施例１に係る酒類販売システムの全体構成を示す図である。
【００２８】
本酒類販売システムの機器本体である管理サーバー１００は、インターネット網を介して、ユーザーの端末２００及び判定端末３００と接続される（ユーザーの端末２００及び判定端末３００は、複数存在する）。
【００２９】
次に、管理サーバー１００、ユーザーの端末２００及び判定端末３００のハードウェア構成について説明する。
【００３０】
図２は本発明の実施例１に係る酒類販売システムの管理サーバーのハードウェア構成を示す図であり、図３は本発明の実施例１に係る酒類販売システムの判定端末のハードウェア構成を示す図である。
【００３１】
［管理サーバー１００］
管理サーバー１００は、酒類の販売状況を管理するものであって、本酒類販売システム全体の動作を制御する制御部１１１、後述する指定販売場所情報等の各種情報を記憶するメモリ１１２、キーボード等の入力部１１３、ディスプレイ等の出力部１１４、後述するユーザーリスト等を記憶するハードディスク１１５並びにユーザーの端末２００及び判定端末３００と情報の送受信を行う通信部１１６を備える。
【００３２】
［ユーザーの端末２００］
ユーザーの端末２００は、ネットワーク接続機能を有するスマートフォン、タブレット端末又はパーソナルコンピュータ（ＰＣ）等のハードウェアから構成される（図示略）。
【００３３】
［判定端末３００］
判定端末３００は、酒類の販売場所に設置されている販売装置（販売装置には、公知の自動販売機を用いることができる）に取り付けられているものであって（つまり、判定端末３００は、酒類の販売場所に設置されている）、販売装置全体の動作を制御する制御部３１１、後述する確定販売場所情報等の各種情報を記憶するメモリ３１２、キーボード、タッチパネル又はユーザーの端末２００に格納されている各種情報を読み取るリーダ装置等の入力部３１３、ディスプレイ等の出力部３１４、各種情報を記憶するハードディスク３１５及び管理サーバー１００と情報の送受信を行う通信部３１６を備える。なお、１台の判定端末３００を１台の販売装置に取り付けてもよいし、また、１台の判定端末３００を複数の販売装置に取り付けて、これらすべての販売装置を１台の判定端末３００で制御するようにしてもよい。
【００３４】
続いて、上述のように構成された酒類販売システムの動作について説明する。なお、ここでは、まず、図４を用いて、本酒類販売システムの動作の前提となる、管理サーバー１００、ユーザーの端末２００及び判定端末３００の各種機能について説明する。
【００３５】
図４は本発明の実施例１に係る酒類販売システムの構成を示すブロック図である。
【００３６】
［管理サーバー１００］
指定販売場所情報受信手段１０は、ユーザーの端末２００から送信された、ユーザーが指定した、酒類の販売場所に関する指定販売場所情報を、管理サーバー１００の通信部１１６によって受信し、指定販売場所情報記憶手段１１は、指定販売場所情報受信手段１０によって受信した指定販売場所情報を、管理サーバー１００のメモリ１１２に記憶する。また、確定販売場所情報送信手段１２は、指定販売場所情報記憶手段１１によって記憶された指定販売場所情報に係る販売場所が、ユーザーに酒類を販売する場所として確定した場合に、このことを示す確定販売場所情報を、管理サーバー１００の通信部１１６を介してユーザーの端末２００に送信する。
【００３７】
［ユーザーの端末２００］
指定販売場所情報送信手段２０は、ユーザーが指定した、酒類の販売場所に関する指定販売場所情報を管理サーバー１００に送信し、確定販売場所情報受信手段２１は、管理サーバー１００から送信された確定販売場所情報を受信する。また、確定販売場所情報出力手段２２は、管理サーバー１００から送信された確定販売場所情報を、判定端末３００に出力する。
【００３８】
［判定端末３００］
確定販売場所情報入力手段３０は、ユーザーの端末２００から読み出されることによって出力された確定販売場所情報を、判定端末３００の入力部３１３によって入力し、販売場所判定手段３１は、確定販売場所情報入力手段３０によって入力された確定販売場所情報に係る販売場所と判定端末３００が設置されている販売場所が一致するか否かを判定する。また、販売手段３２は、販売場所判定手段３１により、確定販売場所情報入力手段３０によって入力された確定販売場所情報に係る販売場所と判定端末３００が設置されている販売場所が一致すると判定された場合に、販売可能情報を出力し、判定端末３００の制御部３１１によって、販売装置を、酒類の販売が可能な状態にする。
【００３９】
では、本酒類販売システムの動作の詳細について説明する。なお、ここでは、本酒類販売システムの動作を、
（１）本酒類販売システムに、ユーザー登録をするための動作（手順）
（２）本酒類販売システムにおいて、ユーザーが酒類を購入するための動作（手順）
の順に従って説明する。
【００４０】
（１）本酒類販売システムに、ユーザー登録をするための動作（手順）
図５は本発明の実施例１に係る酒類販売システムに、ユーザー登録をするための手順を示すフローチャートである。
【００４１】
まず、ユーザーは、ユーザーの端末２００を用いて、本酒類販売システムに係るサービスのウェブサイトにアクセスし、当該ウェブサイトを通じて、登録申込情報を管理サーバー１００に送信する（ステップＳ１０）。ステップＳ１１において、登録申込情報を、通信部１１６を介して受信した管理サーバー１００は、ユーザーの端末２００に対して、登録申込フォームを、通信部１１６を介して送信する（ステップＳ１２）。ユーザーの端末２００がステップＳ１３において、登録申込フォームを受信すると、ユーザーは、当該登録申込フォームに、住所、氏名、連絡先、希望ＩＤ、希望パスワード等を入力し、これらの情報を登録情報として、ユーザーの端末２００から管理サーバー１００に送信する（ステップＳ１４）。
【００４２】
ステップＳ１５において、登録情報を、通信部１１６を介して受信した管理サーバー１００は、ステップＳ１６において、当該登録情報に係るユーザーの住所、氏名、連絡先、希望ＩＤ、希望パスワード等を、ハードディスク１１５に記憶しているユーザーリストに記憶する（希望ＩＤが、既に他のユーザーに割り当てられている場合には、管理サーバー１００は再度、ユーザーの端末２００に、希望ＩＤを送信するよう要求し、そうでない場合は、希望ＩＤをユーザーリストに記憶する）。
【００４３】
続いて、管理サーバー１００は、ステップＳ１７において、ユーザーリストに記憶したＩＤ、パスワード（つまり、当該ユーザーのＩＤ、パスワードとして決定したもの）を、通信部１１６を介して、ユーザーの端末２００に送信する。ユーザーの端末２００が、ステップＳ１８において、管理サーバー１００より、ＩＤ、パスワードを受信した後（これらのＩＤ、パスワードはユーザーの端末２００のメモリ（図示略）に記憶される）、ユーザーは、自身が成人であることを証する書類（運転免許証等）の電子データを、成人確認情報として、ユーザーの端末２００から管理サーバー１００に送信する（ステップＳ１９）。
【００４４】
ステップＳ２０において、成人確認情報を、通信部１１６を介して受信した管理サーバー１００は、当該成人確認情報に基づいて、当該ユーザーが成人であるか否かを判定する（ステップＳ２１）。そして、ステップＳ２１における成人判定の結果、当該ユーザーが成人であると判定された場合には、管理サーバー１００は、ステップＳ２２において、当該ユーザーが成人であることを示す成人認証情報（例えば、認証コード等）を、当該ユーザーに紐付けて、ユーザーリストに記憶する。なお、ステップＳ２１における成人判定の結果、当該ユーザーが成人でないと判定された場合には、管理サーバー１００は、ユーザー登録手続きを終了させ、通信部１１６を介して、その旨を、ユーザーの端末２００に送信する。
【００４５】
ステップＳ２２において、成人認証情報をユーザーリストに記憶した後、管理サーバー１００は、通信部１１６を介して、成人認証情報を、ユーザーの端末２００に送信し（ステップＳ２３）、ユーザーの端末２００は、ステップＳ２４において、これを管理サーバー１００から受信する（受信した成人認証情報はユーザーの端末２００のメモリ（図示略）に記憶される）。
【００４６】
以上をもって、本酒類販売システムに、ユーザー登録をするための動作（手順）が終了する。なお、ユーザーは、以後、ユーザーの端末２００が受信したＩＤ、パスワード、成人認証情報を用いることで、酒類販売システムに係るサービスのウェブサイトへのアクセス及び当該サービスの利用が可能となる。
【００４７】
（２）本酒類販売システムにおいて、ユーザーが酒類を購入するための動作（手順）
図６は本発明の実施例１に係る酒類販売システムにおいて、ユーザーが酒類を購入するための手順を示すフローチャートである。
【００４８】
まず、ユーザーは、ユーザーの端末２００を用いて、本酒類販売システムに係るサービスのウェブサイトにアクセスし、当該ウェブサイトに表示される、酒類の販売場所リスト（図示略）から、自身が酒類の購入を希望する販売場所を指定する（例えば、チェック入力や各販売場所のコマンドをプルダウンメニューによって入力する）。なお、酒類の販売場所とは無人店舗が所在する場所のことをいう。そして、ユーザーは、ステップＳ３０において、指定した販売場所を、酒類の販売場所に関する指定販売場所情報として、ユーザーの端末２００から管理サーバー１００に送信する（指定販売場所情報送信手段２０。なお、この送信は、例えば、当該ウェブサイトに表示される送信ボタンをクリック又はタップすることで行われる）。
【００４９】
ステップＳ３１において、指定販売場所情報を、通信部１１６を介して受信した管理サーバー１００は（指定販売場所情報受信手段１０）、ステップＳ３２において、当該指定販売場所情報をメモリ１１２に記憶する（指定販売場所情報記憶手段１１）。
【００５０】
ステップＳ３３において、管理サーバー１００は、指定販売場所情報に係る販売場所が、ユーザーに酒類を販売できる状態か否かを確認し、当該販売場所が酒類を販売できる状態にあれば、当該販売場所が、当該ユーザーに酒類を販売する場所として確定したことを示す確定販売場所情報を、通信部１１６を介して、ユーザーの端末２００に送信にする（確定販売場所情報送信手段１２）。例えば、指定販売場所情報に係る販売場所が、東京都渋谷区の無人店舗：Ｘ号店である場合、管理サーバー１００は、当該無人店舗の稼働状況を確認し、この無人店舗が酒類を販売できる状態にあれば、当該無人店舗に関する情報を、確定販売場所情報（例えば、当該無人店舗の店舗コード）として、ユーザーの端末２００に送信にすることになる。なお、「酒類を販売できる状態」とは、例えば、無人店舗（販売装置）が故障せず、正常に作動している等のことをいい、管理サーバー１００は、無人店舗が正常に作動していれば、この無人店舗に関する情報を確定販売場所情報とする（無人店舗が故障しており、正常に作動していなければ、管理サーバー１００は、通信部１１６を介して、その旨を、ユーザーの端末２００に送信し、再度、希望する酒類の購入場所（販売場所）を指定販売場所情報として送信するよう要求してもよい）。
【００５１】
そして、ユーザーの端末２００は、ステップＳ３４において、確定販売場所情報を管理サーバー１００から受信し（確定販売場所情報受信手段２１）、これをユーザーの端末２００のメモリ（図示略）に記憶する。なお、確定販売場所情報の漏えいを防ぐべく、この受信した確定販売場所情報（無人店舗の店舗コード）は、ユーザーの端末２００のディスプレイ（図示略）に表示されないように構成することが好ましい。
【００５２】
ステップＳ３４において、ユーザーの端末２００が、確定販売場所情報を管理サーバー１００から受信した後、ユーザーは、確定販売場所情報に係る販売場所（無人店舗）に出向いて（上記の例でいえば、東京都渋谷区の無人店舗：Ｘ号店に出向いて）、当該販売場所に設置されている判定端末３００に、ユーザーの端末２００のメモリに記憶されている確定販売場所情報を出力する（ステップＳ３５  確定販売場所情報出力手段２２）。そして、判定端末３００は、ステップＳ３６において、ユーザーの端末２００から出力された確定販売場所情報を入力する（確定販売場所情報入力手段３０）。具体的には、ユーザーの端末２００を判定端末３００のリーダ装置（入力部３１３）に近づけると、当該リーダ装置が、ユーザーの端末２００のメモリに記憶されている確定販売場所情報を読み取って、これを判定端末３００に入力する（上記の例でいえば、東京都渋谷区の無人店舗：Ｘ号店の店舗コードが、確定販売場所情報として、判定端末３００に入力される）。なお、入力された確定販売場所情報は、判定端末３００のメモリ３１２に記憶される。
【００５３】
次に、判定端末３００は、ステップＳ３７において、確定販売場所情報入力手段３０によって入力された確定販売場所情報に係る販売場所と判定端末３００が設置されている販売場所が一致するか否かを判定する（販売場所判定手段３１）。具体的には、判定端末３００は、メモリ３１２に記憶された確定販売場所情報（店舗コード）と予めハードディスク３１５に記憶されている、判定端末３００が設置されている無人店舗の店舗コード（判定端末３００が設置されている販売場所を特定するもの）を照合し、これらの店舗コードが一致するか否かを判定するようにする（上記の例でいえば、判定端末３００は、メモリ３１２に記憶された東京都渋谷区の無人店舗：Ｘ号店の店舗コードと予めハードディスク３１５に記憶されている、判定端末３００が設置されている無人店舗の店舗コードを照合し、判定を行う）。
【００５４】
ステップＳ３７における判定において、確定販売場所情報入力手段３０によって入力された確定販売場所情報に係る販売場所と判定端末３００が設置されている販売場所とが一致すると判定された場合には、判定端末３００は、ステップＳ３８において、販売可能情報を出力し、判定端末３００の制御部３１１によって、販売装置を、酒類の販売が可能な状態にする（販売手段３２）。なお、「販売装置を、酒類の販売が可能な状態にする」とは、ユーザーが、販売装置に格納されている酒類の中から、購入を希望する酒類を選択して、販売装置に紙幣又は硬貨を投入した場合に（酒類の販売代金の決済）、当該酒類を販売装置から取り出すことができる状態にすることをいう（酒類の販売代金を、予め、ユーザーの端末２００のメモリに記憶されている電子マネー情報から決済するようにしてもよい）。
【００５５】
このように、販売手段３２が実行されることで、ユーザーは、販売装置に格納されている酒類の中から、購入を希望する酒類を選択し、当該酒類の販売代金の決済を行えば、当該酒類を販売装置から取り出すことができることから、無人店舗での酒類の購入が可能となる。
【００５６】
なお、ステップＳ３７における判定において、確定販売場所情報入力手段３０によって入力された確定販売場所情報に係る販売場所と判定端末３００が設置されている販売場所とが不一致と判定された場合には、判定端末３００は、販売手段３２を実行せず、その旨をディスプレイ（出力部３１４）に表示して、ユーザーが酒類を購入するための動作（手順）を終了させる（このように、判定端末３００は、酒類を購入するユーザーに対して、酒類の販売が可能か否かを判定するものである）。例えば、ユーザーの端末２００のメモリに記憶されている確定販売場所情報が東京都渋谷区の無人店舗：Ｘ号店の店舗コードであるにもかかわらず、ユーザーが、東京都豊島区の無人店舗：Ｙ号店に設置されている判定端末３００に、Ｘ号店の店舗コードを入力した場合には、確定販売場所情報入力手段３０によって入力された確定販売場所情報に係る販売場所（Ｘ号店の店舗コード）と判定端末３００が設置されている販売場所（Ｙ号店の店舗コード）とは一致しないことから、販売手段３２は実行されず、その旨がディスプレイ（出力部３１４）に表示されることになる。
【００５７】
以上をもって、本酒類販売システムにおいて、ユーザーが酒類を購入するための動作（手順）が終了する。
【００５８】
このように、本発明は、ユーザーの端末２００が、管理サーバー１００から送信された確定販売場所情報を判定端末３００に入力すると、判定端末３００は、確定販売場所情報に係る販売場所と判定端末３００が設置されている販売場所が一致するか否かの判定を行い、これらの販売場所が一致する場合に、販売手段３２によって、ユーザーに酒類を販売する構成となっていることから、本発明では、無人店舗における未成年者への酒類の販売を効果的に阻止することができる。
【００５９】
このことを具体的に説明すると、本発明における確定販売場所情報は、酒類の販売場所に関する指定販売場所情報に基づき生成されたものであるところ、この指定販売場所情報は、ユーザー自身が指定したものであることから、通常、確定販売場所情報に係る販売場所が、ユーザー以外の者に知られることはない。したがって、ユーザーの端末２００が当該ユーザーに無断で未成年者に持ち出されたとしても、当該未成年者が、当該ユーザーの指定した酒類の販売場所に関する情報（確定販売場所情報に係る販売場所）を把握することは難しく、当該販売場所に出向いて、そこに設置されている判定端末３００に、確定販売場所情報を入力することは、通常、考えられないことから、結果として、当該未成年者は、無人店舗において酒類の販売を受けることができない。また、当該未成年者が、当該販売場所以外の販売場所に出向いて、そこに設置されている判定端末３００に、確定販売場所情報を入力したとしても、確定販売場所情報に係る販売場所と当該判定端末３００が設置されている販売場所とは一致しないことから、当該判定端末３００が、当該未成年者に対して、酒類の販売を許可することはない（販売手段３２を実行させない）。よって、本発明を用いれば、無人店舗における未成年者への酒類の販売を効果的に阻止することができるのである。
【００６０】
また、本発明では、ユーザーが無人店舗で酒類を購入するに先だって、自身の端末（ユーザーの端末２００）以外の物（運転免許証等）を予め準備する必要はなく、また、無人店舗で酒類を購入する際には、ユーザーは、自身の端末より、確定販売場所情報を判定端末３００に入力するだけで、酒類の購入が可能なことから（販売手段３２が実行された場合）、本発明を用いれば、酒類の購入が可能なユーザー（成人者）に対して、簡易迅速に酒類を販売することができる。
【００６１】
［本実施例に係る酒類販売システムの変形例］
なお、本実施例では、確定販売場所情報（無人店舗の店舗コード）を、ユーザーの端末２００のディスプレイ（図示略）に表示しないように構成している（好ましい）としているが、確定販売場所情報の漏えいを防ぐことができるのであれば、ユーザーの端末２００のディスプレイ（図示略）に確定販売場所情報を表示することもできる。例えば、予め、管理サーバー１００が確定販売場所情報を暗号化しておけば、これを受信したユーザーの端末２００が、確定販売場所情報をディスプレイ（図示略）に表示したとしても、確定販売場所情報は暗号化され、識別できる状態ではないことから、確定販売場所情報が漏えいすることはない。よって、このような構成を採用すれば、ユーザーの端末２００のディスプレイ（図示略）に確定販売場所情報を表示させることができる。なお、このとき、ユーザーは、予め設定しておいた復号化のためのパスワードをユーザーの端末２００に入力することで、確定販売場所情報の内容（無人店舗の店舗コード）を、ユーザーの端末２００のディスプレイ（図示略）上で確認することができる。
【００６２】
また、本実施例では、判定端末３００のリーダ装置（入力部３１３）により、ユーザーの端末２００のメモリに記憶されている確定販売場所情報を読みとって、これを判定端末３００に入力するものとしているが、例えば、赤外線通信により、確定販売場所情報を読み取って、これを判定端末３００に入力する等、公知の読み取り手段を用いて、確定販売場所情報を判定端末３００に入力することができることは勿論である。なお、上記段落［００６１］の構成を採用した場合には、キーボード又はタッチパネル（入力部３１３）から確定販売場所情報を判定端末３００に入力させるようにしてもよい。また、確定販売場所情報を判定端末３００に入力する際、これの入力を許可するパスワードの入力要求を行うようにしてもよい。
【００６３】
さらに、本実施例では、判定端末３００は、販売場所判定手段３１による判定の結果、ユーザーの端末２００から入力された確定販売場所情報に係る販売場所と判定端末３００が設置されている販売場所とが一致する場合に、販売手段３２を実行するものとしているが、未成年者の飲酒防止の観点から、販売手段３２を実行させるための条件として、さらに次の条件を加えることができる。
【００６４】
［注文情報を考慮した構成］
まず、販売場所の一致に加え、ユーザーが注文した酒類の注文内容に関する注文情報を加味して、販売手段３２を実行させるようにすることもできる。以下、この場合における販売手段３２を実行させるまでの手順について、具体的に説明する。
【００６５】
ユーザーは、ユーザーの端末２００が、ステップＳ１８において、管理サーバー１００から受信した、自身のＩＤ、パスワードを用いて、本酒類販売システムに係るサービスのウェブサイトにアクセスする。そして、ユーザーは、当該ウェブサイト中の酒類注文ページ（判定端末ごとのもの、図示略）から、購入を希望する酒類を選択し、これを酒類の注文内容に関する注文情報として、ユーザーの端末２００から管理サーバー１００に送信する（この送信は、例えば、当該酒類注文ページに表示される送信ボタンをクリック又はタップすることで行われる）。なお、未成年者の飲酒防止の観点から、酒類の注文を行う際に、ユーザーに対して、成人認証情報を送信するよう要求するとよい。例えば、注文情報を、ユーザーの端末２００から管理サーバー１００に送信する際、ユーザーの端末２００が、ステップＳ２４において、管理サーバー１００から受信した成人認証情報を合わせて送信し、この成人認証情報が当該ユーザーの成人認証情報である場合にのみ、当該注文情報を管理サーバー１００が受信できるようにする（この成人認証情報が当該ユーザーの成人認証情報でない場合、管理サーバー１００は、当該注文情報を受信しない）。
【００６６】
ユーザーの端末２００より、酒類の注文内容に関する注文情報を、通信部１１６を介して受信した管理サーバー１００は（注文情報受信手段）、当該注文情報に係る注文内容（注文された酒類）が、ユーザーが指定した指定販売場所情報に係る酒類の販売場所において、販売可能である場合（例えば、当該販売場所の無人店舗に、当該注文内容に係る酒類の在庫がある場合）、当該注文情報に係る注文内容を受け付けたことを示す確定注文情報を、通信部１１６を介して、ユーザーの端末２００に送信する（第１の確定注文情報送信手段）。なお、この確定注文情報は、ユーザーの端末２００のメモリに記憶される。また、このとき、管理サーバー１００は、通信部１１６を介して、当該販売場所（確定販売場所情報に係る販売場所）に設置されている判定端末３００に、当該確定注文情報を送信し（第２の確定注文情報送信手段）、判定端末３００は、通信部３１６を介して、これを管理サーバー１００から受信する（確定注文情報受信手段）。
【００６７】
そして、ユーザーは、当該販売場所（無人店舗）に出向いて、当該販売場所に設置されている判定端末３００に、ユーザーの端末２００のメモリに記憶されている確定販売場所情報及び確定注文情報を入力する。ユーザーの端末２００より、当該確定販売場所情報及び確定注文情報が入力されると（確定販売場所情報入力手段３０及び確定注文情報入力手段）、判定端末３００は、販売場所判定手段３１を実行するとともに、確定注文情報受信手段によって受信した確定注文情報と確定注文情報入力手段によって入力された確定注文情報が一致するか否かを判定する（確定注文情報判定手段）。
【００６８】
販売場所判定手段３１及び確定注文情報判定手段による判定の結果、ユーザーの端末２００より入力された確定販売場所情報に係る販売場所と当該判定端末３００が設置されている販売場所とが一致し、かつ、確定注文情報受信手段によって受信した確定注文情報と確定注文情報入力手段によって入力された確定注文情報とが一致する場合、判定端末３００は、販売手段３２を実行する（販売場所、確定注文情報のいずれかが不一致の場合には、販売手段３２は実行されない）。このとき、確定販売場所情報と確定注文情報を、別々に入力するように構成してもよい。例えば、まず、確定販売場所情報を入力して、販売場所判定手段３１による判定を行い、この判定結果がクリアされた（販売場所が一致した）後に、確定注文情報を入力して、確定注文情報判定手段による判定を行うようにしてもよい。また、確定販売場所情報と確定注文情報を判定端末３００に入力する際、それぞれの情報の入力を許可するパスワードの入力要求を行うようにしてもよい。
【００６９】
そして、販売手段３２が実行されると、判定端末３００は、ユーザーが、予め注文した酒類（確定注文情報に係る注文内容）を、販売装置から取り出すことができるよう、制御部３１１によって販売装置を制御する。なお、注文した酒類の販売代金の決済方法は本実施例と同様であってもよいし、事前の注文時に決済するようにしてもよい（事前決済の場合、管理サーバー１００は、決済済みの情報を、事前に判定端末３００に送信しておき、判定端末３００は、この決済済みの情報を受信している場合にのみ、ユーザーが、予め注文した酒類を販売装置から取り出すことができるように、制御部３１１によって販売装置を制御する）。
【００７０】
このように本発明を構成すれば、販売手段３２を実行させるための条件を、より複雑にすることができることから、上記構成を採用すれば、無人店舗における未成年者への酒類の販売を、さらに効果的に阻止することができる。
【００７１】
［ＩＤを考慮した構成］
次に、販売場所の一致に加え、ユーザーのＩＤを加味して、販売手段３２を実行させるようにすることもできる。以下、この場合における販売手段３２を実行させるまでの手順について、具体的に説明する。
【００７２】
管理サーバー１００は、ステップＳ１６において、ユーザーリストに記憶したユーザーのＩＤを（ＩＤ記憶手段）、通信部１１６を介して、ユーザーの端末２００に送信するとともに（第１のＩＤ送信手段  ステップＳ１７参照）、確定販売場所情報に係る販売場所に設置されている判定端末３００に送信する（第２のＩＤ送信手段）。判定端末３００は、通信部３１６を介して、当該ＩＤを管理サーバー１００から受信する（ＩＤ受信手段）。
【００７３】
そして、ユーザーは、当該販売場所（無人店舗）に出向いて、当該販売場所に設置されている判定端末３００に、ユーザーの端末２００のメモリに記憶されている確定販売場所情報及びＩＤを入力する。ユーザーの端末２００より、当該確定販売場所情報及びＩＤが入力されると（確定販売場所情報入力手段３０及びＩＤ入力手段）、判定端末３００は、販売場所判定手段３１を実行するとともに、ＩＤ受信手段によって受信したＩＤとＩＤ入力手段によって入力されたＩＤが一致するか否かを判定する（ＩＤ判定手段）。
【００７４】
販売場所判定手段３１及びＩＤ判定手段による判定の結果、ユーザーの端末２００より入力された確定販売場所情報に係る販売場所と当該判定端末３００が設置されている販売場所とが一致し、かつ、ＩＤ受信手段によって受信したＩＤとＩＤ入力手段によって入力されたＩＤとが一致する場合、判定端末３００は、販売手段３２を実行する（販売場所、ＩＤのいずれかが不一致の場合には、販売手段３２は実行されない）。このとき、確定販売場所情報とＩＤを、別々に入力するように構成してもよい。例えば、まず、ＩＤを入力して、ＩＤ判定手段による判定を行い、この判定結果がクリアされた（ＩＤが一致した）後に、確定販売場所情報を入力して、販売場所判定手段３１による判定を行うようにしてもよい。また、確定販売場所情報とＩＤを判定端末３００に入力する際、それぞれの入力を許可するパスワードの入力要求を行うようにしてもよい。
【００７５】
そして、販売手段３２が実行された後は、本実施例と同様に、ユーザーは、無人店舗での酒類の購入が可能となる。
【００７６】
このように本発明を構成すれば、販売手段３２を実行させるための条件を、より複雑にすることができることから、上記構成を採用すれば、無人店舗における未成年者への酒類の販売を、さらに効果的に阻止することができる。
【００７７】
［成人認証情報を考慮した構成］
また、販売場所の一致に加え、成人認証情報を加味して、販売手段３２を実行させるようにすることもできる。以下、この場合における販売手段３２を実行させるまでの手順について、具体的に説明する。
【００７８】
管理サーバー１００は、ステップＳ２２において、ユーザーリストに記憶した成人認証情報を（成人認証情報記憶手段）、通信部１１６を介して、ユーザーの端末２００に送信するとともに（第１の成人認証情報送信手段  ステップＳ２３参照）、確定販売場所情報に係る販売場所に設置されている判定端末３００に送信する（第２の成人認証情報送信手段）。判定端末３００は、通信部３１６を介して、当該成人認証情報を管理サーバー１００から受信する（成人認証情報受信手段）。
【００７９】
そして、ユーザーは、当該販売場所（無人店舗）に出向いて、当該販売場所に設置されている判定端末３００に、ユーザーの端末２００のメモリに記憶されている確定販売場所情報及び成人認証情報を入力する。ユーザーの端末２００より、当該確定販売場所情報及び成人認証情報が入力されると（確定販売場所情報入力手段３０及び成人認証情報入力手段）、判定端末３００は、販売場所判定手段３１を実行するとともに、成人認証情報受信手段によって受信した成人認証情報と成人認証情報入力手段によって入力された成人認証情報が一致するか否かを判定する（成人認証情報判定手段）。
【００８０】
販売場所判定手段３１及び成人認証情報判定手段による判定の結果、ユーザーの端末２００より入力された確定販売場所情報に係る販売場所と当該判定端末３００が設置されている販売場所とが一致し、かつ、成人認証情報受信手段によって受信した成人認証情報と成人認証情報入力手段によって入力された成人認証情報とが一致する場合、判定端末３００は、販売手段３２を実行する（販売場所、成人認証情報のいずれかが不一致の場合には、販売手段３２は実行されない）。このとき、確定販売場所情報と成人認証情報を、別々に入力するように構成してもよい。例えば、まず、成人認証情報を入力して、成人認証情報判定手段による判定を行い、この判定結果がクリアされた（成人認証情報が一致した）後に、確定販売場所情報を入力して、販売場所判定手段３１による判定を行うようにしてもよい。また、確定販売場所情報と成人認証情報を判定端末３００に入力する際、それぞれの情報の入力を許可するパスワードの入力要求を行うようにしてもよい。
【００８１】
そして、販売手段３２が実行された後は、本実施例と同様に、ユーザーは、無人店舗での酒類の購入が可能となる。
【００８２】
このように本発明を構成すれば、販売手段３２を実行させるための条件を、より複雑にすることができることから、上記構成を採用すれば、無人店舗における未成年者への酒類の販売を、さらに効果的に阻止することができる。
【００８３】
なお、販売手段３２を実行させるための条件は、上記の内容に限られず、販売場所（確定販売場所情報）、注文情報、ＩＤ及び成人認証情報を適宜組み合わせて、販売手段３２を実行させるようにすることができることは勿論である。
【００８４】
また、本実施例には、酒類の販売場所（無人店舗）に保管されている酒類の在庫を適切に管理するための、次の構成を加えることができる。以下、具体的に説明する。
【００８５】
ユーザーに酒類を販売した販売場所（無人店舗）に設置されている判定端末３００は、通信部３１６を介して、ユーザーに販売した当該酒類の数を、管理サーバー１００に送信する（販売数送信手段）。当該判定端末３００より、ユーザーに販売した当該酒類の数を、通信部１１６を介して受信した管理サーバー１００は（販売数受信手段）、予め、ハードディスク１１５に記憶されている、酒類の販売場所に保管されている酒類の在庫数（酒類在庫数記憶手段）のうち、ユーザーに酒類を販売した当該販売場所の酒類の在庫数から、販売数受信手段によって受信した酒類の販売数を減算する（販売数減算手段）。そして、管理サーバー１００は、販売数減算手段による減算後の酒類の数を、ユーザーに酒類を販売した当該販売場所の酒類の在庫数として記憶する（酒類在庫数記憶手段）。
【００８６】
このように本発明を構成すれば、酒類の販売場所（無人店舗）に保管されている酒類の在庫を適切に管理することができることから、上記構成を採用すれば、無人店舗で酒類を販売する者（小売酒販店）の経営の合理化等に資することができる。
【００８７】
最後に、本実施例の酒類販売システムは、酒類販売方法であってもよいし、コンピュータを酒類販売システム又は方法として機能させるためのプログラムでも実現される。このプログラムは、コンピュータで読み取り可能な記録媒体に格納されていてもよい。なお、上記記録媒体は、本実施例の酒類販売システムのＲＯＭそのものや、外部記憶装置（ＣＤ−ＲＯＭドライブ等）に挿入することで読み取り可能なＣＤ−ＲＯＭ、磁気テープ、カセットテープ、フレキシブルディスク、ハードディスク、ＭＯ／ＭＤ／ＤＶＤ等、又は半導体メモリであってもよい。
【００８８】
以上のとおり、これまで、本実施例に対するいくつかの変形例を説明したが、これらの変形例を、適宜組み合わせて適用することができることは勿論のことである。
【００８９】
このように、本実施例では、本発明の趣旨を逸脱しない範囲で種々の変更が可能であることはいうまでもない。
【符号の説明】
【００９０】
１０      指定販売場所情報受信手段
１１      指定販売場所情報記憶手段
１２      確定販売場所情報送信手段
２０      指定販売場所情報送信手段
２１      確定販売場所情報受信手段
２２      確定販売場所情報出力手段
３０      確定販売場所情報入力手段
３１      販売場所判定手段
３２      販売手段
１００    管理サーバー
１１１    制御部
１１２    メモリ
１１３    入力部
１１４    出力部
１１５    ハードディスク
１１６    通信部
２００    ユーザーの端末
３００    判定端末
３１１    制御部
３１２    メモリ
３１３    入力部
３１４    出力部
３１５    ハードディスク
３１６    通信部
【図１】
2018063609.tif 000003
【図２】
2018063609.tif 000004
【図３】
2018063609.tif 000005
【図４】
2018063609.tif 000006
【図５】
2018063609.tif 000007
【図６】
2018063609.tif 000008
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
酒類の販売を行う酒類販売システムにおいて、
酒類の販売状況を管理する管理サーバーを備え、
該管理サーバーは、
成人認証されたユーザーのユーザーリストを記憶するユーザーリスト記憶手段と、
通信ネットワークを介して接続されるユーザーの端末からアクセスしたユーザーが、該ユーザーリスト記憶手段によって記憶されているユーザーリストのユーザーか否かを確認する成人確認手段と、
該成人確認手段によって成人と確認されたユーザーの端末より、該ユーザーが指定した、酒類の販売場所に関する指定販売場所情報を受信する指定販売場所情報受信手段と、
該指定販売場所情報受信手段によって受信された該指定販売場所情報を記憶する指定販売場所情報記憶手段と、
該指定販売場所情報記憶手段によって記憶された該指定販売場所情報に係る販売場所において、該ユーザーに酒類を販売できるか否かを、該販売場所の状態を示す情報により確認する販売状態確認手段と、
該販売状態確認手段により、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信手段と
を有することを特徴とする酒類販売システム。
【請求項２】
酒類の販売を行う酒類販売システムにおいて、
酒類の販売場所に設置され、酒類を購入するユーザーに対して、酒類が販売可能か否かを判定する判定端末を備え、
該判定端末は、
該ユーザーの端末より、該ユーザーが指定した酒類の販売場所が該ユーザーに酒類を販売する場所として確定したことを示す確定販売場所情報を入力する確定販売場所情報入力手段と、
該確定販売場所情報入力手段によって入力された該確定販売場所情報に係る販売場所と該判定端末が設置されている販売場所が一致するか否かを判定する販売場所判定手段と、
酒類の販売状況を管理する管理サーバーより、該ユーザーが成人であることを示す成人認証情報を受信する成人認証情報受信手段と、
該ユーザーの端末より、該成人認証情報を入力する成人認証情報入力手段と、
該成人認証情報受信手段によって受信した該成人認証情報と該成人認証情報入力手段によって入力された該成人認証情報が一致するか否かを判定する成人認証情報判定手段と、
該販売場所判定手段により、該確定販売場所情報に係る販売場所と該判定端末が設置されている販売場所とが一致すると判定され、かつ、該成人認証情報判定手段により、該成人認証情報受信手段によって受信した該成人認証情報と該成人認証情報入力手段によって入力された該成人認証情報とが一致すると判定された場合に、該ユーザーに酒類を販売する販売手段と
を有することを特徴とする酒類販売システム。
【請求項３】
酒類の販売を行う酒類販売システムにおいて、
酒類の販売場所に設置され、酒類を購入するユーザーに対して、酒類が販売可能か否かを判定する判定端末と、
酒類の販売状況を管理する管理サーバーとを備え、
該管理サーバーは、
成人認証されたユーザーのユーザーリストを記憶するユーザーリスト記憶手段と、
通信ネットワークを介して接続されるユーザーの端末からアクセスしたユーザーが、該ユーザーリスト記憶手段によって記憶されているユーザーリストのユーザーか否かを確認する成人確認手段と、
該成人確認手段によって成人と確認されたユーザーの端末より、該ユーザーが指定した、酒類の販売場所に関する指定販売場所情報を受信する指定販売場所情報受信手段と、
該指定販売場所情報受信手段によって受信した指定販売場所情報に係る販売場所において、該ユーザーに酒類を販売できるか否かを、該販売場所の状態を示す情報により確認する販売状態確認手段と、
該販売状態確認手段により、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信手段とを有し、
該判定端末は、
該ユーザーの端末より、該確定販売場所情報を入力する確定販売場所情報入力手段と、
該確定販売場所情報入力手段によって入力された該確定販売場所情報に係る販売場所と該判定端末が設置されている販売場所が一致するか否かを判定する販売場所判定手段と、
該販売場所判定手段により、該確定販売場所情報に係る販売場所と該判定端末が設置されている販売場所とが一致すると判定された場合に、該ユーザーに酒類を販売する販売手段と
を有することを特徴とする酒類販売システム。
【請求項４】
請求項３に記載の酒類販売システムであって、
該管理サーバーは、
該ユーザーの端末より、酒類の注文内容に関する注文情報を受信する注文情報受信手段と、
該注文情報受信手段によって受信した注文情報に係る注文内容を受け付けたことを示す確定注文情報を、該ユーザーの端末に送信する第１の確定注文情報送信手段と、
該確定販売場所情報に係る販売場所に設置されている該判定端末に、該確定注文情報を送信する第２の確定注文情報送信手段とを有し、
該判定端末は、
該管理サーバーより、該確定注文情報を受信する確定注文情報受信手段と、
該ユーザーの端末より、該確定注文情報を入力する確定注文情報入力手段と、
該確定注文情報受信手段によって受信した該確定注文情報と該確定注文情報入力手段によって入力された該確定注文情報が一致するか否かを判定する確定注文情報判定手段とを有し、
該確定注文情報判定手段により、該確定注文情報受信手段によって受信した該確定注文情報と該確定注文情報入力手段によって入力された該確定注文情報とが一致すると判定された場合に、前記販売手段が該ユーザーに酒類を販売することを特徴とする酒類販売システム。
【請求項５】
請求項３又は４に記載の酒類販売システムであって、
該管理サーバーは、
該ユーザーのＩＤを記憶するＩＤ記憶手段と、
該ＩＤ記憶手段によって記憶された該ＩＤを、該ユーザーの端末に送信する第１のＩＤ送信手段と、
該確定販売場所情報に係る販売場所に設置されている該判定端末に、該ＩＤを送信する第２のＩＤ送信手段とを有し、
該判定端末は、
該管理サーバーより、該ＩＤを受信するＩＤ受信手段と、
該ユーザーの端末より、該ＩＤを入力するＩＤ入力手段と、
該ＩＤ受信手段によって受信した該ＩＤと該ＩＤ入力手段によって入力された該ＩＤが一致するか否かを判定するＩＤ判定手段とを有し、
該ＩＤ判定手段により、該ＩＤ受信手段によって受信した該ＩＤと該ＩＤ入力手段によって入力された該ＩＤとが一致すると判定された場合に、前記販売手段が該ユーザーに酒類を販売することを特徴とする酒類販売システム。
【請求項６】
請求項３乃至５のいずれかに記載の酒類販売システムであって、
該管理サーバーは、
該ユーザーが成人であることを示す成人認証情報を記憶する成人認証情報記憶手段と、
該成人認証情報記憶手段によって記憶された該成人認証情報を、該ユーザーの端末に送信する第１の成人認証情報送信手段と、
該確定販売場所情報に係る販売場所に設置されている該判定端末に、該成人認証情報を送信する第２の成人認証情報送信手段とを有し、
該判定端末は、
該管理サーバーより、該成人認証情報を受信する成人認証情報受信手段と、
該ユーザーの端末より、該成人認証情報を入力する成人認証情報入力手段と、
該成人認証情報受信手段によって受信した該成人認証情報と該成人認証情報入力手段によって入力された該成人認証情報が一致するか否かを判定する成人認証情報判定手段とを有し、
該成人認証情報判定手段により、該成人認証情報受信手段によって受信した該成人認証情報と該成人認証情報入力手段によって入力された該成人認証情報とが一致すると判定された場合に、前記販売手段が該ユーザーに酒類を販売することを特徴とする酒類販売システム。
【請求項７】
請求項３乃至６のいずれかに記載の酒類販売システムであって、
該管理サーバーは、
該酒類の販売場所に保管されている酒類の在庫数を記憶する酒類在庫数記憶手段と、
該ユーザーに酒類を販売した販売場所に設置されている該判定端末より、該ユーザーに販売した酒類の数を受信する販売数受信手段と、
該酒類在庫数記憶手段によって記憶されている酒類の在庫数のうち、該ユーザーに酒類を販売した販売場所の酒類の在庫数から、該販売数受信手段によって受信した酒類の販売数を減算する販売数減算手段とを有し、
該酒類在庫数記憶手段が、該販売数減算手段による減算後の酒類の数を、該ユーザーに酒類を販売した販売場所の酒類の在庫数として記憶するものであり、
該判定端末は、
該ユーザーに販売した酒類の数を、該管理サーバーに送信する販売数送信手段
を有することを特徴とする酒類販売システム。
【請求項８】
酒類の販売を行う酒類販売システムにおける酒類販売方法であって、
該酒類販売システムは、
酒類の販売場所に設置され、酒類を購入するユーザーに対して、酒類が販売可能か否かを判定する判定端末と、
酒類の販売状況を管理する管理サーバーとを備え、
該管理サーバーが、
成人認証されたユーザーのユーザーリストを記憶するユーザーリスト記憶ステップと、
通信ネットワークを介して接続されるユーザーの端末からアクセスしたユーザーが、該ユーザーリスト記憶ステップによって記憶されているユーザーリストのユーザーか否かを確認する成人確認ステップと、
該成人確認ステップによって成人と確認されたユーザーの端末より、該ユーザーが指定した、酒類の販売場所に関する指定販売場所情報を受信する指定販売場所情報受信ステップと、
該指定販売場所情報受信ステップによって受信した指定販売場所情報に係る販売場所において、該ユーザーに酒類を販売できるか否かを、該販売場所の状態を示す情報により確認する販売状態確認ステップと、
該販売状態確認ステップにより、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信ステップとを実行するものであって、
該判定端末が、
該ユーザーの端末より、該確定販売場所情報を入力する確定販売場所情報入力ステップと、
該確定販売場所情報入力ステップによって入力された該確定販売場所情報に係る販売場所と該判定端末が設置されている販売場所が一致するか否かを判定する販売場所判定ステップと、
該販売場所判定ステップにより、該確定販売場所情報に係る販売場所と該判定端末が設置されている販売場所とが一致すると判定された場合に、該ユーザーに酒類を販売する販売ステップと
を実行することを特徴とする酒類販売方法。
【請求項９】
コンピュータを、
酒類の販売を行う酒類販売システムとして機能させるためのプログラムであって、
該酒類販売システムは、
酒類の販売場所に設置され、酒類を購入するユーザーに対して、酒類が販売可能か否かを判定する判定端末と、
酒類の販売状況を管理する管理サーバーとを備え、
該管理サーバーは、
成人認証されたユーザーのユーザーリストを記憶するユーザーリスト記憶手段と、
通信ネットワークを介して接続されるユーザーの端末からアクセスしたユーザーが、該ユーザーリスト記憶手段によって記憶されているユーザーリストのユーザーか否かを確認する成人確認手段と、
該成人確認手段によって成人と確認されたユーザーの端末より、該ユーザーが指定した、酒類の販売場所に関する指定販売場所情報を受信する指定販売場所情報受信手段と、
該指定販売場所情報受信手段によって受信した指定販売場所情報に係る販売場所において、該ユーザーに酒類を販売できるか否かを、該販売場所の状態を示す情報により確認する販売状態確認手段と、
該販売状態確認手段により、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信手段とを有し、
該判定端末は、
該ユーザーの端末より、該確定販売場所情報を入力する確定販売場所情報入力手段と、
該確定販売場所情報入力手段によって入力された該確定販売場所情報に係る販売場所と該判定端末が設置されている販売場所が一致するか否かを判定する販売場所判定手段と、
該販売場所判定手段により、該確定販売場所情報に係る販売場所と該判定端末が設置されている販売場所とが一致すると判定された場合に、該ユーザーに酒類を販売する販売手段と
を有する、
プログラム。
【手続補正２】
【補正対象書類名】明細書
【補正対象項目名】０００９
【補正方法】変更
【補正の内容】
【０００９】
請求項１の発明に係る酒類販売システムは、酒類の販売を行う酒類販売システムにおいて、酒類の販売状況を管理する管理サーバーを備え、該管理サーバーは、成人認証されたユーザーのユーザーリストを記憶するユーザーリスト記憶手段と、通信ネットワークを介して接続されるユーザーの端末からアクセスしたユーザーが、該ユーザーリスト記憶手段に記憶されているユーザーリストのユーザーか否かを確認する成人確認手段と、該成人確認手段によって成人と確認されたユーザーの端末より、該ユーザーが指定した、酒類の販売場所に関する指定販売場所情報を受信する指定販売場所情報受信手段と、該指定販売場所情報受信手段によって受信された該指定販売場所情報を記憶する指定販売場所情報記憶手段と、該指定販売場所情報記憶手段によって記憶された該指定販売場所情報に係る販売場所において、該ユーザーに酒類を販売できるか否かを、該販売場所の状態を示す情報により確認する販売状態確認手段と、該販売状態確認手段により、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信手段とを有することを特徴とする。
【手続補正３】
【補正対象書類名】明細書
【補正対象項目名】００１０
【補正方法】変更
【補正の内容】
【００１０】
請求項２の発明に係る酒類販売システムは、酒類の販売を行う酒類販売システムにおいて、酒類の販売場所に設置され、酒類を購入するユーザーに対して、酒類が販売可能か否かを判定する判定端末を備え、該判定端末は、該ユーザーの端末より、該ユーザーが指定した酒類の販売場所が該ユーザーに酒類を販売する場所として確定したことを示す確定販売場所情報を入力する確定販売場所情報入力手段と、該確定販売場所情報入力手段によって入力された該確定販売場所情報に係る販売場所と該判定端末が設置されている販売場所が一致するか否かを判定する販売場所判定手段と、酒類の販売状況を管理する管理サーバーより、該ユーザーが成人であることを示す成人認証情報を受信する成人認証情報受信手段と、該ユーザーの端末より、該成人認証情報を入力する成人認証情報入力手段と、該成人認証情報受信手段によって受信した該成人認証情報と該成人認証情報入力手段によって入力された該成人認証情報が一致するか否かを判定する成人認証情報判定手段と、該販売場所判定手段により、該確定販売場所情報に係る販売場所と該判定端末が設置されている販売場所とが一致すると判定され、かつ、該成人認証情報判定手段により、該成人認証情報受信手段によって受信した該成人認証情報と該成人認証情報入力手段によって入力された該成人認証情報とが一致すると判定された場合に、該ユーザーに酒類を販売する販売手段とを有することを特徴とする。
【手続補正４】
【補正対象書類名】明細書
【補正対象項目名】００１１
【補正方法】変更
【補正の内容】
【００１１】
請求項３の発明に係る酒類販売システムは、酒類の販売を行う酒類販売システムにおいて、酒類の販売場所に設置され、酒類を購入するユーザーに対して、酒類が販売可能か否かを判定する判定端末と、酒類の販売状況を管理する管理サーバーとを備え、該管理サーバーは、成人認証されたユーザーのユーザーリストを記憶するユーザーリスト記憶手段と、通信ネットワークを介して接続されるユーザーの端末からアクセスしたユーザーが、該ユーザーリスト記憶手段に記憶されているユーザーリストのユーザーか否かを確認する成人確認手段と、該成人確認手段によって成人と確認されたユーザーの端末より、該ユーザーが指定した、酒類の販売場所に関する指定販売場所情報を受信する指定販売場所情報受信手段と、該指定販売場所情報受信手段によって受信した指定販売場所情報に係る販売場所において、該ユーザーに酒類を販売できるか否かを、該販売場所の状態を示す情報により確認する販売状態確認手段と、該販売状態確認手段により、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信手段とを有し、該判定端末は、該ユーザーの端末より、該確定販売場所情報を入力する確定販売場所情報入力手段と、該確定販売場所情報入力手段によって入力された該確定販売場所情報に係る販売場所と該判定端末が設置されている販売場所が一致するか否かを判定する販売場所判定手段と、該販売場所判定手段により、該確定販売場所情報に係る販売場所と該判定端末が設置されている販売場所とが一致すると判定された場合に、該ユーザーに酒類を販売する販売手段とを有することを特徴とする。
【手続補正５】
【補正対象書類名】明細書
【補正対象項目名】００１６
【補正方法】変更
【補正の内容】
【００１６】
請求項８の発明に係る酒類販売方法は、酒類の販売を行う酒類販売システムにおける酒類販売方法であって、該酒類販売システムは、酒類の販売場所に設置され、酒類を購入するユーザーに対して、酒類が販売可能か否かを判定する判定端末と、酒類の販売状況を管理する管理サーバーとを備え、該管理サーバーが、成人認証されたユーザーのユーザーリストを記憶するユーザーリスト記憶ステップと、通信ネットワークを介して接続されるユーザーの端末からアクセスしたユーザーが、該ユーザーリスト記憶ステップによって記憶されているユーザーリストのユーザーか否かを確認する成人確認ステップと、該成人確認ステップによって成人と確認されたユーザーの端末より、該ユーザーが指定した、酒類の販売場所に関する指定販売場所情報を受信する指定販売場所情報受信ステップと、該指定販売場所情報受信ステップによって受信した指定販売場所情報に係る販売場所において、該ユーザーに酒類を販売できるか否かを、該販売場所の状態を示す情報により確認する販売状態確認ステップと、該販売状態確認ステップにより、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信ステップとを実行するものであって、該判定端末が、該ユーザーの端末より、該確定販売場所情報を入力する確定販売場所情報入力ステップと、該確定販売場所情報入力ステップによって入力された該確定販売場所情報に係る販売場所と該判定端末が設置されている販売場所が一致するか否かを判定する販売場所判定ステップと、該販売場所判定ステップにより、該確定販売場所情報に係る販売場所と該判定端末が設置されている販売場所とが一致すると判定された場合に、該ユーザーに酒類を販売する販売ステップとを実行することを特徴とする。
【手続補正６】
【補正対象書類名】明細書
【補正対象項目名】００１７
【補正方法】変更
【補正の内容】
【００１７】
請求項９の発明に係るプログラムは、コンピュータを、酒類の販売を行う酒類販売システムとして機能させるためのプログラムであって、該酒類販売システムは、酒類の販売場所に設置され、酒類を購入するユーザーに対して、酒類が販売可能か否かを判定する判定端末と、酒類の販売状況を管理する管理サーバーとを備え、該管理サーバーは、成人認証されたユーザーのユーザーリストを記憶するユーザーリスト記憶手段と、通信ネットワークを介して接続されるユーザーの端末からアクセスしたユーザーが、該ユーザーリスト記憶手段に記憶されているユーザーリストのユーザーか否かを確認する成人確認手段と、該成人確認手段によって成人と確認されたユーザーの端末より、該ユーザーが指定した、酒類の販売場所に関する指定販売場所情報を受信する指定販売場所情報受信手段と、該指定販売場所情報受信手段によって受信した指定販売場所情報に係る販売場所において、該ユーザーに酒類を販売できるか否かを、該販売場所の状態を示す情報により確認する販売状態確認手段と、該販売状態確認手段により、該販売場所において該ユーザーに酒類を販売できると確認された場合に、該販売場所が、該ユーザーに酒類を販売する場所として確定したことを示す確定販売場所情報を、該ユーザーの端末に送信する確定販売場所情報送信手段とを有し、該判定端末は、該ユーザーの端末より、該確定販売場所情報を入力する確定販売場所情報入力手段と、該確定販売場所情報入力手段によって入力された該確定販売場所情報に係る販売場所と該判定端末が設置されている販売場所が一致するか否かを判定する販売場所判定手段と、該販売場所判定手段により、該確定販売場所情報に係る販売場所と該判定端末が設置されている販売場所とが一致すると判定された場合に、該ユーザーに酒類を販売する販売手段とを有することを特徴とする。